(57)【要約】      （修正有）【課題】高い耐震性能を具えるプレキャストコンクリート擁壁、プレキャストコンクリート擁壁作成パネル、プレキャストコンクリート擁壁の製造方法を提供する。【解決手段】鋼製型枠パネル７に単位板石３を整列配置する位置に対応した位置であって、単位板石３の取付穴５に対応した位置に、板石取付ボルトセットによって単位板石３を取り付けるための取付穴１０を形成する。次に複数の単位板石３の仕上げ面１１を鋼製型枠パネル７表面に密着させる態様で鋼製型枠パネル７表面上に整列配置する。その状態で単位板石３のコンクリート接合面１２には剥離防止金具４を取り付ける。一方、接着剤により複数の単位板石３間を接着し、その複数の単位板石３相互間の接着部に形成された取付穴５にセメント流出を防ぐためのコーキングを行う。【選択図】図７
2018145771.tif 000002
【特許請求の範囲】
【請求項１】
鉄筋によって強化されたプレキャストコンクリート擁壁基体に対して複数の肉厚の薄い単位板石を相互に密接して配置し、前記単位板石の縁部相互を接着してなり、前記複数の単位板石の前記コンクリート基体からの剥離を防止する剥離防止金具が前記複数の単位板石各々と前記コンクリート基体間に張設されており、前記単位板石の縁部相互接着部の穴にコーキングが施されてなることを特徴とするプレキャストコンクリート擁壁。
【請求項２】
前記プレキャストコンクリート擁壁基体はＬ型プレキャストコンクリート擁壁基体である請求項１記載のプレキャストコンクリート擁壁。
【請求項３】
前記プレキャストコンクリート擁壁基体はＴ型プレキャストコンクリート擁壁基体である請求項１記載のプレキャストコンクリート擁壁。
【請求項４】
前記コーキングの表面に前記単位板石と同一素材のカバーが接着されてなる請求項１〜請求項３のいずれか一に記載のプレキャストコンクリート擁壁。
【請求項５】
前記プレキャストコンクリート擁壁基体の２以上の面に複数の肉厚の薄い単位板石を相互に密接して配置し、前記単位板石の縁部相互を接着してなる請求項１〜請求項４のいずれか一に記載のプレキャストコンクリート擁壁。
【請求項６】
前記プレキャストコンクリート擁壁基体の表面から単位板石の表面を突出させて配置してなる請求項１〜請求項５のいずれか一に記載のプレキャストコンクリート擁壁。
【請求項７】
複数の肉厚の薄い単位板石と、この複数の肉厚の薄い単位板石が組み付けられる鋼製型枠パネルと、前記鋼製型枠パネルに対する前記複数の単位板石の板石取付ボルトセットとを有し、前記複数の単位板石の各々の仕上げ面と鋼製型枠パネルとを密着させて前記鋼製型枠パネルに対して前記複数の単位板石を前記板石取付ボルトセットによって取付けると共に、前記複数の単位板石のコンクリートからの剥離を防止する剥離防止金具を前記複数の単位板石各々の仕上げ面と反対側の面（以下「コンクリート接合面」という）に取り付けてなり、接着剤によって前記複数の単位板石相互を接着してなることを特徴とするプレキャストコンクリート擁壁作成パネル。
【請求項８】
前記板石取付ボルトセットは、単位板石の取付穴及び鋼製型枠パネルの取付穴を貫通させて軸足ボルトの一端を一のパッドに螺合し、前記軸足ボルトの他端は他のパッドに螺合して、一対のパッドの間に単位板石及び鋼製型枠パネルを挟持する請求項７記載のプレキャストコンクリート擁壁作成パネル。
【請求項９】
前記コンクリート接合面側に鉄筋及び／又はワイヤメッシュを組み込んでなる請求項７又は請求項８記載のプレキャストコンクリート擁壁作成パネル。
【請求項１０】
複数の肉厚の薄い単位板石と、この複数の肉厚の薄い単位板石が組み付けられる鋼製型枠パネルと、前記鋼製型枠パネルに対する前記複数の単位板石の板石取付ボルトセットとを有し、前記複数の単位板石の各々の仕上げ面と鋼製型枠パネルの鋼製型枠パネルとを密着させて前記鋼製型枠パネルに対して前記複数の単位板石を前記板石取付ボルトセットによって取付けると共に、前記複数の単位板石のコンクリートからの剥離を防止する剥離防止金具を前記複数の単位板石各々のコンクリート接合面に取り付けてなり、接着剤によって前記複数の単位板石相互を接着してなるプレキャストコンクリート擁壁作成パネルを用い、前記複数の単位板石のコンクリート接合面側にコンクリートを打設する工程と、前記鋼製型枠パネルを取り外す脱型工程とよりなることを特徴とするプレキャストコンクリート擁壁の製造方法。
【請求項１１】
一対の前記プレキャストコンクリート擁壁作成パネルを板石取付ボルトセットによって一定の間隔で対向して配置し、前記一対のプレキャストコンクリート擁壁作成パネル間にコンクリートを打設する工程と、一対のプレキャストコンクリート擁壁作成パネルそれぞれの鋼製型枠パネルを取り外す脱型工程とよりなることを特徴とする請求項１０記載のプレキャストコンクリート擁壁の製造方法。
【発明の詳細な説明】
【技術分野】
【０００１】
本発明はプレキャストコンクリート擁壁、プレキャストコンクリート擁壁作成パネル及びプレキャストコンクリート擁壁の製造方法に関する。
【背景技術】
【０００２】
従来の自然石を用いた外装材面を有するプレキャストコンクリート擁壁であるL型コンクリート擁壁の製造方法としては、特許文献１〜特許文献４に示す技術が提案されている。
特許文献１は 外装材先付けコンクリート製品の成形時における外装材表面の汚損発生を防ぎ、外装材の剥れ発生がない良質の製品を低コストで製作できるようにすることを課題として、外装材ユニット用型枠内に外装材を並べると共に、注入した水又は温水に外装材の下半部を浸漬させ、この状態でパラフィンを流し込んで固化させることにより、外装材ユニットを形成し、次にこのユニットをコンクリート製品用型枠内に並べてコンクリートを打設し、パラフィンを溶かして除去すれば、表面に外装材が固定されたコンクリート製品が得られるとする外装材先付けコンクリート製品の製造方法を開示した。
【０００３】
特許文献２は外装材先付けコンクリート製品の成形時における外装材表面の汚損発生を防ぎ、外装材の剥れ発生がない良質の製品を低コストで製作できるようにすることを課題として、外装材ユニット用型枠内に外装材を並べると共に、注入した水又は温水に外装材の下半部を浸漬させ、この状態でパラフィンを流し込んでその上に磁石を埋込んだ可撓性シート１８を重ねて固化させることにより、外装材ユニットを形成し、次にこのユニットをコンクリート製品用型枠内に並べて磁石で固定した状態でコンクリートを打設し、パラフィンを溶かして除去すれば、表面に外装材が固定されたコンクリート製品が得られるとする外装材先付けコンクリート製品の製造方法を開示した。
【０００４】
特許文献３は表面に化粧板を貼り付けたＬ型擁壁や塀等を設置するためのコンクリート二次製品の隣接する部分の継ぎ目を分らなくすることを課題として、表面に化粧板を一体に打設すると共に、その側端の表面には該化粧板と同形状のものを縦に半割りにした形状に適合する接続用凹部を形成したコンクリート二次製品と、隣接する該コンクリート二次製品の接続用凹部に跨がってはめ込まれる接続用化粧板からなるコンクリート二次製品の形状をＬ型としてＬ型擁壁形成用としたコンクリート二次製品を開示した。
【０００５】
特許文献４は前壁部の高さ・天端勾配と、底版部の長さ調整等が簡単で省力化が計れ、前壁部に天然石の貼付が可能な、可変勾配Ｌ型擁壁ブロック製造用型枠を提供することを課題として、立設した中子の側面に対峙する開閉自在な側板と、中子と側板を前後から挟装可能な妻板より成る、Ｌ型擁壁ブロック製造用型枠において、中子の底面部上に回動運動を上下運動に変換する連結した２組のリンク機構より成る底版長調整手段と該底版長調整手段上面に底版端部成形部材を設け、中子の上面端部に摺動自在な前壁部天端成形部材と前壁部天端成形部材背面に摺動可能な回動運動を伸縮運動に変換する独立した２組のリンク機構より成る前壁部天端調整手段を設け、該前壁部天端調整手段の後方に直線運動機構を設けて構成している可変勾配Ｌ型擁壁ブロック製造用型枠を開示した。
【先行技術文献】
【特許文献】
【０００６】
【特許文献１】特開平06-182724号公報
【特許文献２】特開平06-182725号公報
【特許文献３】特開平06-200567号公報
【特許文献４】特開平07-068528号公報
【発明の概要】
【発明が解決しようとする課題】
【０００７】
以上の特許文献１、特許文献２による方法では、外装材の剥れ発生がない良質の製品を低コストで製作できるとしているものの外装材はその凹凸のある部分がコンクリートに埋め込まれた状態でコンクリートを養生し、固化するものであって、一定以上の震度の地震等が発生した場合には、容易に外装材の剥れが発生し、高い耐震性能が求められる近時のプレキャストコンクリート擁壁の製造方法としては不適切である。
【０００８】
特許文献３のコンクリート二次製品で開示された化粧板を貼り付けたＬ型擁壁では化粧板はただ単に貼り付けられるものであって、一定以上の震度の地震等が発生した場合には、容易に化粧板の剥れが発生し、高い耐震性能が求められる近時のプレキャストコンクリート擁壁の製造方法としては不適切である。
特許文献４の可変勾配Ｌ型擁壁ブロック製造用型枠に開示される天然石貼付のＬ型擁壁ブロックも一定以上の震度の地震等が発生した場合には、前壁部に貼付けられた天然石が容易に剥れ、高い耐震性能が求められる近時のプレキャストコンクリート擁壁としては不適切である。
本発明は以上の従来技術における問題に鑑み、熟練した作業員による現場作業は必要なく、生産性の向上が可能で、また高い耐震性能を具えるプレキャストコンクリート擁壁、プレキャストコンクリート擁壁作成パネル、プレキャストコンクリート擁壁の製造方法を提供することを目的とする。
【課題を解決するための手段】
【０００９】
本発明のプレキャストコンクリート擁壁は、鉄筋によって強化されたプレキャストコンクリート擁壁基体に対して複数の肉厚の薄い単位板石を相互に密接して配置し、前記単位板石の縁部相互を接着してなり、前記複数の単位板石の前記コンクリート基体からの剥離を防止する剥離防止金具が前記複数の単位板石各々と前記コンクリート基体間に張設されており、前記単位板石の縁部相互接着部の穴にコーキングが施されてなることを特徴とする。
【００１０】
前記プレキャストコンクリート擁壁基体はＬ型プレキャストコンクリート擁壁基体であり、又はＴ型プレキャストコンクリート擁壁基体であり、さらにその他の態様のプレキャストコンクリート擁壁基体とすることができる。
【００１１】
本発明のプレキャストコンクリート擁壁作成パネルは、複数の肉厚の薄い単位板石と、この複数の肉厚の薄い単位板石が組み付けられる鋼製型枠パネルと、前記鋼製型枠パネルに対する前記複数の単位板石の板石取付ボルトセットとを有し、前記複数の単位板石の各々の仕上げ面と鋼製型枠パネルとを密着させて前記鋼製型枠パネルに対して前記複数の単位板石を前記板石取付ボルトセットによって取付けると共に、前記複数の単位板石のコンクリートからの剥離を防止する剥離防止金具を前記複数の単位板石各々の仕上げ面と反対側の面（以下「コンクリート接合面」という）に取り付けてなり、接着剤によって前記複数の単位板石相互を接着してなることを特徴とする。
【００１２】
本発明のプレキャストコンクリート擁壁の製造方法は、複数の肉厚の薄い単位板石と、この複数の肉厚の薄い単位板石が組み付けられる鋼製型枠パネルと、前記鋼製型枠パネルに対する前記複数の単位板石の板石取付ボルトセットとを有し、前記複数の単位板石の各々の仕上げ面と鋼製型枠パネルの鋼製型枠パネルとを密着させて前記鋼製型枠パネルに対して前記複数の単位板石を前記板石取付ボルトセットによって取付けると共に、前記複数の単位板石のコンクリートからの剥離を防止する剥離防止金具を前記複数の単位板石各々のコンクリート接合面に取り付けてなり、接着剤によって前記複数の単位板石相互を接着してなるプレキャストコンクリート擁壁作成パネルを用い、前記複数の単位板石のコンクリート接合面側にコンクリートを打設する工程と、前記鋼製型枠パネルを取り外す脱型工程とよりなることを特徴とする。
【発明の効果】
【００１３】
以上の本発明のプレキャストコンクリート擁壁、プレキャストコンクリート擁壁作成パネル、プレキャストコンクリート擁壁の製造方法によれば、プレキャストコンクリートを用いたコンクリート擁壁の造成にあたって、熟練した作業員による現場作業は必要なく、また高い耐震性能を実現することができる。
【図面の簡単な説明】
【００１４】
【図１】本発明の一実施の形態のL型コンクリート擁壁を示し、（ａ）正面図、（ｂ）上面図である。
【図２】図１に示す実施の形態のL型コンクリート擁壁の（ａ）側面図、（ｂ）他の上面図である。
【図３】本発明の一実施の形態のL型コンクリート擁壁を示し、（ａ）正面図、（ｂ）上面図である。
【図４】図３に示す実施の形態のL型コンクリート擁壁の（ａ）側面図、（ｂ）他の上面図である。
【図５】本発明の一実施の形態の（ａ）L型コンクリート擁壁の部分正面図、（ｂ）図５（ａ）に破線で示す領域の拡大図である。
【図６】図５（ａ）に示すL型コンクリート擁壁の縦断面図である。
【図７】本発明の一実施の形態のL型コンクリート擁壁作成パネルの側面図である。
【図８】本発明の一実施の形態のL型コンクリート擁壁の部分拡大断面図である。
【図９】図８に示す本発明の一実施の形態のL型コンクリート擁壁の（ａ）さらに他の部分拡大断面図、（ｂ）さらに別の部分拡大断面図、である。
【図１０】本発明の他の実施の形態のL型コンクリート擁壁の（ａ）側面図、（ｂ）さらも他の態様の側面図、である。
【図１１】本発明の別の実施の形態のL型コンクリート擁壁の側面図である。
【図１２】本発明の一実施の形態のプレキャストコンクリート擁壁製造装置の側面図である。
【図１３】図１２に示す本発明の一実施の形態のプレキャストコンクリート擁壁製造装置の部分側面図である。
【図１４】図１２に示す本発明の一実施の形態のプレキャストコンクリート擁壁製造装置の部分拡大側面図である。
【図１５】図１２に示す本発明の一実施の形態のプレキャストコンクリート擁壁製造装置の他の側面図である。
【図１６】図１２に示す本発明の一実施の形態のプレキャストコンクリート擁壁製造装置を用いた本発明の一実施の形態のプレキャストコンクリート擁壁の製造プロセスを示す（ａ）第一の模式図、（ｂ）第二の模式図である。
【図１７】図１２に示す本発明の一実施の形態のプレキャストコンクリート擁壁製造装置を用いた本発明の一実施の形態のプレキャストコンクリート擁壁の製造プロセスを示す（ａ）第三の模式図、（ｂ）第四の模式図である。
【図１８】本発明のプレキャストコンクリート擁壁の他の実施の形態であるＴ型コンクリート擁壁の縦断面図である。
【図１９】本発明のプレキャストコンクリート擁壁の他の実施の形態であるＴ型コンクリート擁壁の別の態様を示す縦断面図である。
【図２０】本発明のプレキャストコンクリート擁壁の他の実施の形態であるＴ型コンクリート擁壁のさらに別の態様を示す部分拡大縦断面図である。
【図２１】本発明のプレキャストコンクリート擁壁の他の態様であるＴ型コンクリート擁壁の製造型枠を示す縦断面図である。
【図２２】本発明のプレキャストコンクリート擁壁の他の態様であるＴ型コンクリート擁壁の他の製造型枠を示す縦断面図である。
【図２３】本発明の他の実施の形態のプレキャストコンクリート擁壁製造装置の側面図である。
【発明を実施するための形態】
【００１５】
以下に、この発明のプレキャストコンクリート擁壁、プレキャストコンクリート擁壁作成パネル、プレキャストコンクリート擁壁の製造方法の実施の形態を詳細に説明する。
図１〜図６に示す様に本発明のプレキャストコンクリート擁壁の一態様であるL型コンクリート擁壁１は鉄筋１３によって強化されたL型コンクリート擁壁基体２に対して複数の肉厚の薄い単位板石３を相互に密接して配置し、単位板石３の縁部３ａ相互を接着してなり、鉄筋１３によって強化されたL型コンクリート擁壁基体２からの複数の単位板石３の剥離を防止する剥離防止金具４が鉄筋によって強化されたL型コンクリート擁壁基体２と複数の単位板石３各々との間に張設されており、単位板石３の縁部３ａ相互接着部に形成された取付穴５にコーキングが施されてなる。
そのコーキングの表面には単位板石３と同一素材のカバーが接着されて閉止される。
以上において取付穴５は単位板石３の縁部３ａ相互接着部に形成されているためL型コンクリート擁壁１全体の美観にその存在が過度の影響を及ぼすことはなく、またコーキングの表面に単位板石３と同一素材のカバーが接着された場合には殆ど影響はなくなる。
かかるL型コンクリート擁壁１は図７に示すL型コンクリート擁壁作成パネル６を用いて構築される。
【００１６】
（みかげ石板石）の設計製作及び取付パネル（鋼製型枠パネル）制作
A  単位板石加工
石加工プロセスにおいて得られた単位板石３を配置するL型コンクリート擁壁１はJISでその寸法等は規定されており、係るJIS基準に適合する鋼製型枠パネル７を形成する鋼製型枠パネル７に整合的に複数整列させて配置されるように複数の同一形状の単位板石３を製作する。
先ず単位板石３の形状（パターン）、厚さ、重さ、石種、石色等、の設計を行う。係る設計内容に基づき原石の切削・研磨・形状切断加工を行い複数の同一形状の単位板石３を製作する。次いで加工された単位板石３に対して単位板石３を鋼製型枠パネル７に対して固定する金具である図８等に示す板石取付ボルトセット９を取付るための取付穴５を形成する。
Ｂ  鋼製型枠パネル加工
次に設計に応じた単位板石３を整列配置する位置に対応した位置であって、単位板石３の取付穴５に対応した位置に、板石取付ボルトセット９によって単位板石３を取り付けるための取付穴１０を鋼製型枠パネル７に形成する。次に複数の単位板石３の仕上げ面１１を鋼製型枠パネル７表面に密着させる態様で複数の単位板石３を鋼製型枠パネル７表面上に整列配置する。その状態で単位板石３の仕上げ面１１と反対側の面（以下「コンクリート接合面」という）１２には剥離防止金具４を取り付ける。一方、接着剤により複数の単位板石３間を接着し、その複数の単位板石３相互間の接着部にセメント流出を防ぐためのコーキングを行う。
【００１７】
一方、単位板石３のコンクリート接合面１２に鉄筋又はワイヤメッシュ１３を組み込む。これによって図７に示す様に、本実施の形態のL型コンクリート擁壁作成パネル６が形成される。
【００１８】
以上において鋼製型枠パネル７表面に対する単位板石３の取り付けは、図８、図９（ａ）（ｂ）に示す板石取付ボルトセット９を用いて行うことができる。
図８、図９（ａ）（ｂ）に示す様に板石取付ボルトセット９は軸足ボルト１５の両端に一対のパッド１６ａ，ｂを螺合してなる。
係る板石取付ボルトセット９を用い、単位板石３の取付穴５及び鋼製型枠パネル７の取付穴１０を貫通させて軸足ボルト１５の一端をパッド１６ａに螺合し、軸足ボルト１５の他端はパッド１６ｂに螺合して、パッド１６ａとパッド１６ｂとの間に単位板石３及び鋼製型枠パネル７を挟持する。なおその際、１６ｂ側に単位板石３が配置され、パッド１６ａ側に鋼製型枠パネル７が配置される。 
【００１９】
図１０（ａ）（ｂ）は本発明の他の実施の形態のL型コンクリート擁壁１を示し、本実施の形態のL型コンクリート擁壁１はL型コンクリート擁壁基体２の２以上の面に複数の肉厚の薄い単位板石３を相互に密接して配置し、単位板石３の縁部相互を接着してなる。
図１１は本発明のさらに他の実施の形態のL型コンクリート擁壁１を示し、本実施の形態のL型コンクリート擁壁１はL型コンクリート擁壁基体２の表面２ａから単位板石３の表面３ａを突出させて配置してなる。
【００２０】
図１２〜図１７は本発明のL型コンクリート擁壁１の製造装置２０及びこれを用いたL型コンクリート擁壁１の製造プロセスを示す。図１２に示す様に本実施の形態のL型コンクリート擁壁１の製造装置２０は、台枠２１と、この台枠２１に固設された固定型枠２２と、台枠２１に対して摺動可能な底板２３によって移動可能に設けられた可動型枠２４とを有する。
【００２１】
固定型枠２２は台枠２１に固定された内枠２５を具える。
一方、可動型枠２４は底板２３に立設された側板２６を有する。側板２６は図６、図７に示す鋼製型枠パネル７であり、側面御影石板２７を配置してL型コンクリート擁壁作成パネル６として構成される。また底板２３上には上面御影石板２８が配置される。
【００２２】
先ず型組にあたっては、図１６（ａ）に示す様に御影石板２８を内枠上に仮置きする。一方、御影石板２７を軸足ボルト１５の一端をパッド１６ａに螺合して側板２６へ仮止めする。その様に各御影石板２７、２８をセット後、各インサート２９、鉄筋１３をセットする。次に図１６（ｂ）に示す様に側板２６をスライドさせ、クランブにて締付け、スライド後、ストッパーピンを抜く。次に側板２６倒止めボルトを徐々に緩め各御影石板２７、２８に衝撃を与えない様にしながら側板２６を正規位置にセットする。側板２６が起き上がった時点で小口板をセットする。この様にして型組み終了後、御影石板２７を本締めする。その状態で固定型枠２２及び可動型枠２４によって形成された型内にコンクリートを打設して、養生する。養生後コンクリートが固化した後に先ず御影石板２７の締付けボルトである軸足ボルト１５を外す。その様にして御影石板２７の締付けボルトである軸足ボルト１５を外した後、名インサートボルトを外す。その後、全てのボルトを外した後、小口板を開く。
【００２３】
次に脱型にあたっては、図１７に示す様に側板２６倒止めボルトを用いて、側板２６を倒す。それによって側板２６が倒れ込んだ状態でストッパーピンを挿入する。次に側板２６下部クランブを緩め、側板２６をスライドする。
御影石板２７及び傘板石である御影石板２８が取り付けられたL型コンクリート擁壁１が得られる。
【００２４】
図１８〜図２３は本発明のプレキャストコンクリート擁壁の他の態様であるＴ型コンクリート擁壁１０１を示す。図１８に示すＴ型コンクリート擁壁１０１は鉄筋１３を埋設したＴ型コンクリート基体１０２に対し、板石１０３、笠石である板石１０４を装着してなり、板石１０３とＴ型コンクリート基体１０２間には剥離防止金具４及び軸足ボルト１５が装着され、板石１０４とＴ型コンクリート基体１０２間には剥離防止アンカーボルト１０５が配設される。
【００２５】
図１９には本発明のプレキャストコンクリート擁壁の他の態様であるＴ型コンクリート擁壁１０１の他の態様を示す。Ｔ型コンクリート擁壁１０１は鉄筋１３を埋設したＴ型コンクリート基体１０２に対し、板石１０３ａ、笠石である板石１０４、板石１０６を装着してなり、板石１０３ａ及び板石１０６各々とＴ型コンクリート基体１０２間には剥離防止金具４及び軸足ボルト１５が装着され、板石１０４とＴ型コンクリート基体１０２間には剥離防止アンカーボルト１０５が配設される。板石１０３ａはＴ型コンクリート基体１０２表面から突出するコブ（凸）型とされる。
【００２６】
図２０は本発明のプレキャストコンクリート擁壁の他の態様であるＴ型コンクリート擁壁１０１のさらに他の態様を示す。この態様では板石１０３ａが多数の突条若しくは凸面を有する意匠面として形成される。
【００２７】
図２１は本発明のプレキャストコンクリート擁壁の他の態様であるＴ型コンクリート擁壁１０１の製造型枠１０７を示す。製造型枠１０７は固定型１０７ｂと移動型１０７ａとを有し、移動型１０７ａの鋼製型枠パネル７表面に対し石取付ボルトセット９によって板石１０３ａが取り付けられ、板石１０３ａとＴ型コンクリート基体１０２間には剥離防止金具４が装着され、Ｔ型コンクリート基体１０２には鉄筋１３が埋設される。
【００２８】
図２２は本発明のプレキャストコンクリート擁壁であるＴ型コンクリート擁壁１０１の他の態様の製造型枠１０８を示す。製造型枠１０８は固定型１０８ｂと移動型１０８ａとを有し、移動型１０８ａの鋼製型枠パネル７表面に対し石取付ボルトセット９によって板石１０３ａが取り付けられ、板石１０３ａとＴ型コンクリート基体１０２間には剥離防止金具４が装着され、Ｔ型コンクリート基体１０２には鉄筋１３が埋設される。板石１０３ａはＴ型コンクリート基体１０２表面から突出するコブ（凸）型とされ、これに応じて鋼製型枠パネル７も外方に突出した形態有してなる。
【００２９】
図２３は本発明のＴ型コンクリート擁壁１０１の製造装置１０９を示す。図２３に示す様に本実施の形態のＴ型コンクリート擁壁１０１の製造装置１０９は、台枠１１０と、この台枠１１０に固設された固定型枠１１１と、台枠１１０に対して摺動可能な底板１１２によって移動可能に設けられた可動型枠１１３とを有する。
【符号の説明】
【００３０】
１・・・L型コンクリート擁壁、７・・・鋼製型枠パネル、３・・・単位板石、５・・・取付穴、９・・・板石取付ボルトセット、１０・・・取付穴、８・・・鋼製型枠パネル、１１・・・仕上げ面、１２・・・コンクリート接合面、４・・・剥離防止金具。
【図１】
2018145771.tif 000003
【図２】
2018145771.tif 000004
【図３】
2018145771.tif 000005
【図４】
2018145771.tif 000006
【図５】
2018145771.tif 000007
【図６】
2018145771.tif 000008
【図７】
2018145771.tif 000009
【図８】
2018145771.tif 000010
【図９】
2018145771.tif 000011
【図１０】
2018145771.tif 000012
【図１１】
2018145771.tif 000013
【図１２】
2018145771.tif 000014
【図１３】
2018145771.tif 000015
【図１４】
2018145771.tif 000016
【図１５】
2018145771.tif 000017
【図１６】
2018145771.tif 000018
【図１７】
2018145771.tif 000019
【図１８】
2018145771.tif 000020
【図１９】
2018145771.tif 000021
【図２０】
2018145771.tif 000022
【図２１】
2018145771.tif 000023
【図２２】
2018145771.tif 000024
【図２３】
2018145771.tif 000025
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
鉄筋によって強化されたプレキャストコンクリート擁壁基体に対して複数の肉厚の薄い単位板石を相互の端部同士を突き合わせて密接して配置し、前記単位板石の縁部相互の側面を接着してなり、前記複数の単位板石の前記コンクリート基体からの剥離を防止する剥離防止金具が前記複数の単位板石各々と前記コンクリート基体間に張設されており、前記単位板石の縁部相互接着部に形成された貫通孔部にコーキングが施されてなることを特徴とするプレキャストコンクリート擁壁。
【請求項２】
前記プレキャストコンクリート擁壁基体はＬ型プレキャストコンクリート擁壁基体である請求項１記載のプレキャストコンクリート擁壁。
【請求項３】
前記コーキングの表面に前記単位板石と同一素材のカバーが接着されてなる請求項１又は請求項２に記載のプレキャストコンクリート擁壁。
【請求項４】
前記プレキャストコンクリート擁壁基体の２以上の面に複数の肉厚の薄い単位板石を相互の端部同士を突き合わせて密接して配置し、前記単位板石の縁部相互の側面を接着してなる請求項１〜請求項３のいずれか一に記載のプレキャストコンクリート擁壁。
【請求項５】
前記プレキャストコンクリート擁壁基体の表面から単位板石の表面を突出させて配置してなる請求項１〜請求項４のいずれか一に記載のプレキャストコンクリート擁壁。
【請求項６】
固定型枠と、複数の肉厚の薄い単位板石が相互の端部同士を突き合わせて板石取付ボルトセットによって組み付けられる鋼製型枠パネルを具えた可動型枠とを有し、前記複数の単位板石の各々の仕上げ面と鋼製型枠パネルとを密着させて前記鋼製型枠パネルに対して前記複数の単位板石を前記板石取付ボルトセットによって取付けると共に、前記複数の単位板石のコンクリートからの剥離を防止する剥離防止金具を前記複数の単位板石各々の仕上げ面と反対側の面（以下「コンクリート接合面」という）に取り付けてなり、接着剤によって前記複数の単位板石縁部相互の側面を接着してなることを特徴とするプレキャストコンクリート擁壁製造装置。
【請求項７】
前記板石取付ボルトセットは、単位板石の取付穴及び鋼製型枠パネルの取付穴を貫通させて軸足ボルトの一端を一のパッドに螺合し、前記軸足ボルトの他端は他のパッドに螺合して、一対のパッドの間に単位板石及び鋼製型枠パネルを挟持する請求項６記載のプレキャストコンクリート擁壁製造装置。
【請求項８】
前記コンクリート接合面側に鉄筋及び／又はワイヤメッシュを組み込んでなる請求項６又は請求項７記載のプレキャストコンクリート擁壁製造装置。
【請求項９】
固定型枠と、鋼製型枠パネルを具えた可動型枠とを用い、複数の肉厚の薄い単位板石の各々の仕上げ面と前記鋼製型枠パネルとを密着させ、かつ前記複数の単位板石を相互の端部同士を突き合わせて密接して配置し、前記単位板石の取付孔及び鋼製型枠パネルの取付孔を貫通させて軸足ボルトの一端を一のパッドに螺合し、前記軸足ボルトの他端は他のパッドに螺合して、一対のパッドの間に単位板石及び鋼製型枠パネルを挟持して前記鋼製型枠パネルに対して前記複数の単位板石を取付けると共に、接着剤によって前記単位板石の縁部相互の側面を接着し、前記固定型枠及び可動型枠によって形成された型内にコンクリートを打設後、養生後コンクリートが固化した後に前記可動型枠を移動させて前記鋼製型枠パネルを取り外し、脱型することを特徴とするプレキャストコンクリート擁壁の製造方法。